(57)【要約】【課題】本発明は、周囲の環境ノイズを大きくすることなく、会話内容を外部に伝わり難くすることができると共に、室内スペースの効率的利用を十分に図ることができる間仕切りを提供することを課題とする。【解決手段】本発明の間仕切りは、複数のパネル部材と、前記複数のパネル部材を左右方向に展開及び前後方向に重なり合うよう集約可能に支持する支持機構とを備え、前記複数のパネル部材の展開状態において、前記複数のパネル部材の前面に前方から入射する音波を反射して収束させる集音形状が形成される。前記複数のパネル部材が、展開状態で左右方向中央に位置する中央パネル部材と、展開状態でこの中央パネル部材を基準として左右対称に配設される１又は複数対の側方パネル部材とを有し、前記支持機構が、各対の側方パネル部材を左右方向中央側にスライド可能に構成されるとよい。【選択図】図２
2018204290.tif 000002
【特許請求の範囲】
【請求項１】
複数のパネル部材と、
前記複数のパネル部材を左右方向に展開及び前後方向に重なり合うよう集約可能に支持する支持機構と
を備え、
前記複数のパネル部材の展開状態において、前記複数のパネル部材の前面に前方から入射する音波を反射して収束させる集音形状が形成される室内スペースを区分する間仕切り。
【請求項２】
前記複数のパネル部材が、展開状態で左右方向中央に位置する中央パネル部材と、展開状態でこの中央パネル部材を基準として左右対称に配設される１又は複数対の側方パネル部材とを有し、
前記支持機構が、各対の側方パネル部材を左右方向中央側にスライド可能に構成される請求項１に記載の間仕切り。
【請求項３】
前記支持機構が、展開状態で前記中央パネル部材の左側に位置する側方パネル部材を前記中央パネル部材の前方左側に集約し、展開状態で前記中央パネル部材の右側に位置する側方パネル部材を前記中央パネル部材の前方右側に集約する請求項２に記載の間仕切り。
【請求項４】
展開状態で、隣接するパネル部材間に空隙を有する請求項１、請求項２又は請求項３に記載の間仕切り。
【請求項５】
前記集音形状が二次曲線回転面である請求項１から請求項４のいずれか１項に記載の間仕切り。
【発明の詳細な説明】
【技術分野】
【０００１】
本発明は、間仕切りに関する。
【背景技術】
【０００２】
近年、オフィス等の室内スペースを間仕切りによって区分することで会議や商談等を行う打合せブースを設けることが行われている。間仕切りによって打合せブースを画定することによって、必要な打合せブースを容易に形成することができ、室内スペースを効率的に利用することがきる。
【０００３】
前記打合せブースは、室内スペースの効率的な利用の観点から小規模化が図られている。しかしながら、打合せブースの小規模化が図られる場合、この打合せブース内の会話が打合せブース外に漏洩するおそれが高くなる。このような点から、今日では間仕切りにスピーカーを設け、マスキング音を放音することによって、打合せブース内での会話が外部で聞き取れないようにする技術が実用化されている（特開２０１２−８２５８５号公報参照）。
【先行技術文献】
【特許文献】
【０００４】
【特許文献１】特開２０１２−８２５８５号公報
【発明の概要】
【発明が解決しようとする課題】
【０００５】
しかしながら、前記公報に記載されるようにマスキング音を用いる場合、周囲の環境ノイズが大きくなるという問題が生じる。つまり、複数の打合せブースが隣接して設けられる場合、隣接する他の打合せブース内の会話を聞き取れなくするためのマスキング音によって打合せブース内での会話が聞き取り難くなり、打合せブース内で比較的大きな声で会話をする必要が生じるおそれがある。
【０００６】
また、前記公報に記載されるようにマスキング音を用いると、装置が大掛かりとなるおそれがある。そのため、必要に応じて打合せブース形成したり撤去したりすることが困難となり、室内スペースの効率的な利用を十分に図り難いという課題を有する。
【０００７】
このような不都合に鑑みて、本発明は、周囲の環境ノイズを大きくすることなく、会話内容が外部に伝わり難くすることができると共に、室内スペースの効率的利用を十分に図ることができる間仕切りを提供することを課題とする。
【課題を解決するための手段】
【０００８】
前記課題を解決するためになされた本発明は、複数のパネル部材と、前記複数のパネル部材を左右方向に展開及び前後方向に重なり合うよう集約可能に支持する支持機構とを備え、前記複数のパネル部材の展開状態において、前記複数のパネル部材の前面に前方から入射する音波を反射して収束させる集音形状が形成される室内スペースを区分する間仕切りである。
【０００９】
前記複数のパネル部材が、展開状態で左右方向中央に位置する中央パネル部材と、展開状態でこの中央パネル部材を基準として左右対称に配設される１又は複数対の側方パネル部材とを有し、前記支持機構が、各対の側方パネル部材を左右方向中央側にスライド可能に構成されるとよい。
【００１０】
前記支持機構が、展開状態で前記中央パネル部材の左側に位置する側方パネル部材を前記中央パネル部材の前方左側に集約し、展開状態で前記中央パネル部材の右側に位置する側方パネル部材を前記中央パネル部材の前方右側に集約するとよい。
【００１１】
展開状態で、隣接するパネル部材間に空隙を有するとよい。
【００１２】
前記集音形状が二次曲線回転面であるとよい。
【００１３】
なお、本発明において、「音波を反射して収束させる」とは、同一の点から入射する音波に対する表面の２以上の点での反射波が同一の点に到達することをいう。「二次曲線回転面」は、複数の平面や球面で近似される面であってもよい。
【発明の効果】
【００１４】
本発明に係る間仕切りは、例えば打合せブースを事務スペース等の外部スペースと区分するために用いられる。当該間仕切りは、使用時に複数のパネル部材の前面が打合せブースに向くよう配設される。当該間仕切りは、前記複数のパネル部材が、前記支持機構によって左右方向に展開及び前後方向に重なり合うように集約可能に支持されているので、例えば不使用時に複数のパネル部材を集約しておくことで、室内スペースの効率的な利用を図ることができる。また、当該間仕切りは、前記複数のパネル部材の展開状態で、これらのパネル部材の前面に前方から入射する音波を反射して収束させる集音形状が形成されるので、当該間仕切りによって区分される打合せブース内で比較的小さい声で会話をした場合でも、互いの声を比較的容易に聞き取らせることができる。そのため、話者の声が自然と小さくなり、外部に声が漏れて会話内容が第三者に聞き取られることを抑制することができる。
【図面の簡単な説明】
【００１５】
【図１】本発明の一実施形態に係る間仕切りの展開状態を示す模式的正面図である。
【図２】図１の間仕切りの模式的平面図である。
【図３】図１の間仕切りのＡ−Ａ線断面図である。
【図４】図１の間仕切りの集約状態を示す模式的正面図である。
【図５】図４の間仕切りの模式的平面図である。
【図６】図４の間仕切りのＢ−Ｂ線断面図である。
【図７】本発明の他の実施形態に係る間仕切りの支持機構を説明するための模式的平面図である。
【図８】図７の間仕切りの集約状態を示す模式的平面図である。
【図９】本発明の他の実施形態に係る図７とは異なる支持機構を説明するための模式的部分平面図である。
【図１０】図９の支持機構のレール部材を前後方向に近接させた状態を示す模式的部分平面図である。
【発明を実施するための形態】
【００１６】
以下、適宜図面を参照しつつ、本発明の実施の形態を詳説する。
【００１７】
［間仕切り］
図１〜図６に示す当該間仕切りは、室内スペースを区分する。当該間仕切りは、例えば建造物の天井や床に連結して設けられる常設型の間仕切りではなく、建造物とは別個に形成される仮設型の間仕切りである。当該間仕切りは、複数のパネル部材１ａ〜１ｃを有する。また、当該間仕切りは、複数のパネル部材１ａ〜１ｃを左右方向に展開及び前後方向に重なり合うように集約可能な支持機構３を備える（支持機構３については、図１及び図２のみで図示し、図３〜図６では図示を省略している）。また、当該間仕切りは、例えば複数のパネル部材１ａ〜１ｃの集約状態での移動を容易にするための移動機構を備えていてもよい。この移動機構としては、例えば支持機構３の下端部に配設されるキャスターが挙げられる。
【００１８】
当該間仕切りは、図１〜図３に示すように、複数のパネル部材１ａ〜１ｃの展開状態において複数のパネル部材１ａ〜１ｃの前面に前方から入射する音波を反射して収束させる集音形状２が形成されている。なお、本発明において、「前」とは、本発明に係る間仕切りによって会話内容の外部への漏洩を抑制する側をいい、本実施形態においては、打合せブース側を意味する。また、「後」とは「前」の反対側をいう。さらに、「左右方向」とは、前後方向と垂直な水平方向をいう。
【００１９】
（パネル部材）
複数のパネル部材１ａ〜１ｃは、それぞれ板状に形成されており、板厚方向が前後方向に配されている。複数のパネル部材１ａ〜１ｃは、それぞれ正面視矩形状に形成されており、詳細には上下方向長さが左右方向長さよりも長い長方形状に形成されている。複数のパネル部材１ａ〜１ｃは、展開状態で左右方向中央に位置する中央パネル部材１ａと、展開状態で中央パネル部材１ａを基準として左右対称に配設される複数対（本実施形態においては２対）の側方パネル部材１ｂ，１ｃとを有する。つまり、当該間仕切りは、奇数枚のパネル部材１ａ〜１ｃを有する。なお、「板状」とは、厚さに対して幅及び高さが大きい形状をいう。
【００２０】
複数のパネル部材１ａ〜１ｃの上下方向長さは略等しい。また、各側方パネル部材１ｂ，１ｃの左右方向長さは中央パネル部材１ａの左右方向長さより短い。中央パネル部材１ａの左右方向長さに対する各側方パネル部材１ｂ，１ｃの左右方向長さの比の上限としては、０．５が好ましい。上記比が上記上限を超えると、後述するように側方パネル１ｂ，１ｃを中央パネル１ａの前方に集約した際に、側方パネル１ｂ，１ｃの左右方向外側端部が中央パネル部材１ａの左右方向端部よりも外側に突出し、複数のパネル部材１ａ〜１ｃの集約状態における取扱性が不十分となるおそれがある。なお、各側方パネル部材１ｂ，１ｃの左右方向長さは異なっていてもよいが、集約状態での取扱性や、音波の集音機能の均一化を図る点から等しいことが好ましい。
【００２１】
複数のパネル部材１ａ〜１ｃは、前面に集音部を有する。当該間仕切りは、複数のパネル部材１ａ〜１ｃの展開状態で、この集音部に集音形状が形成されている。また、本実施形態では、複数のパネル部材１ａ〜１ｃの前面の全面が集音部として構成されている。
【００２２】
集音形状２は二次曲線回転面であることが好ましい。つまり、当該間仕切りは、複数のパネル部材１ａ〜１ｃの展開状態において、複数のパネル部材１ａ〜１ｃの集音部が１つの二次曲線回転面に含まれることが好ましい。当該間仕切りは、集音形状２が二次曲線回転面である場合、例えばこの二次曲線回転面の回転軸が打合せブース内において向き合う２人の話者の頭部近傍を通るように配設されることで、集音形状２と離れた側の話者の声を反射して集音形状２側に位置する話者の近傍に収束させやすい。特に、集音形状２側において、集音形状２に背を向けて位置する一方の話者の頭部が集音形状２の焦点位置近傍になるように調節することで、他方の話者の声を集音形状２で反射したうえ、一方の話者の頭部近傍に確実に収束させることができる。その結果、集音形状２に背を向けて位置する一方の話者が他方の話者の会話を聞き取りやすくなる。なお、図２で各パネル部材１ａ〜１ｃ毎に図示される破線は、各パネル部材１ａ〜１ｃの前面における、集音形状２を構成する二次曲線回転面の回転軸を通る水平方向位置を示している。
【００２３】
また、集音形状２が二次曲線回転面である場合、この二次曲線回転面の回転軸は中央パネル部材１ａの左右方向中央部に位置することが好ましい。このように、二次曲線回転面の回転軸が中央パネル部材１ａの左右方向中央部に位置する場合、上下方向のいずれの位置においても、中央パネル部材１ａの左右に隣接する一対の側方パネル部材１ｂの集音部の前面は中央パネル部材１ａの集音部の前面よりも前方に位置し、この一対の側方パネル部材１ｂの左右方向外側に隣接する他対の側方パネル部材１ｃの集音部の前面は前記一対の側方パネル部材１ｂの集音部の前面よりも前方に位置することになる。そのため、後述するように、各対の側方パネル部材１ｂ，１ｃを左右方向にスライドさせることで、これらの側方パネル部材１ｂ，１ｃを中央パネル部材１ａの前方に集約しやすい。また、前記二次曲線回転面の回転軸が中央パネル部材１ａの左右方向中央部に位置することで、各対の側方パネル部材１ｂ，１ｃの集音形状２を左右対称に形成することができるので、支持機構３を比較的簡易な構成に設けやすい。なお、前記二次曲線回転面の回転軸は、前記集音部の上下方向中央部に位置することが好ましい。このように、前記二次曲線回転面の回転軸が前記集音部の上下方向中央部に位置することによって、集音効果を高めやすい。
【００２４】
集音形状２が二次曲線回転面である場合、各側方パネル部材１ｂ，１ｃの後面は左右方向内側の端部が最も後方に位置するよう設けられることが好ましい。この場合、各側方パネル部材１ｂ，１ｃの厚さは、例えば左右方向内側から外側にかけて徐々に大きくなってもよく、左右方向の全領域において略均一であってもよい。この構成によると、例えば各側方パネル部材１ｂ，１ｃの左右方向内側端部の厚さを比較的小さくすることで、中央パネル部材１ａの左右に隣接する一対の側方パネル部材１ｂの後面が中央パネル部材１ａの前面よりも前方に位置し、かつこの一対の側方パネル部材１ｂの左右方向外側に隣接する他対の側方パネル部材１ｃの後面が前記一対の側方パネル部材１ｂの前面よりも前方に位置するよう配設しやすい。つまり、各パネル部材１ａ〜１ｃが左右方向に空隙を挟まずに連続して設けられる場合、中央パネル部材１ａの左右に隣接する一対の側方パネル部材１ｂの最後面は、これらの側方パネル部材１ｂの左右方向内側端部の厚さ分だけ中央パネル部材１ａよりの前面よりも後方に位置し、かつこの一対の側方パネル部材１ｂの左右方向外側に隣接する他対の側方パネル部材１ｃの後面は、これらの側方パネル部材１ｃの左右方向内側端部の厚さ分だけ一対の側方パネル部材１ｂの前面よりも後方に位置することになる。そのため、中央パネル部材１ａの左右に隣接する一対の側方パネル部材１ｂの左右方向内側端部の後面が中央パネル部材１ａの左右方向外側端部の前面よりも前方に位置し、かつ一対の側方パネル部材１ｂの左右方向外側に隣接する他対の側方パネル部材１ｃの左右方向内側端部の後面が一対の側方パネル部材１ｂの左右方向外側の前面よりも前方に位置するよう各パネル部材１ａ〜１ｃ間に空隙を設けることで、後述するように、各対の側方パネル部材１ｂ，１ｃを左右方向内側にスライドさせることができ、これらの側方パネル部材１ｂ，１ｃを中央パネル部材１ａの前方に集約しやすい。また、この構成によると、形状の近いパネル部材１ａ〜１ｃを前後方向に順に重ねることができるので、集約状態における省スペース化を図りやすい。
【００２５】
当該間仕切りは、展開状態で、隣接するパネル部材１ａ〜１ｃ間に空隙を有することが好ましい。換言すると、当該間仕切りは、展開状態における正面視で、複数のパネル部材１ａ〜１ｃが上下方向に延びるスリットによって分断されていることが好ましい。詳細には、当該間仕切りは、上下方向のいずれの位置においても左右方向内側に位置するパネル部材１ａ，１ｂの前面よりも、これらのパネル部材１ａ，１ｂの左右方向外側に隣接するパネル部材１ｂ，１ｃの後面が前方に位置するよう、隣接するパネル部材１ａ〜１ｃ間に空隙を有することが好ましい。この構成によると、前述したように、各対の側方パネル部材１ｂ，１ｃを左右方向内側にスライドさせることで、これらの側方パネル部材１ｂ，１ｃを中央パネル部材１ａの前方に集約しやすい。なお、展開状態で隣接するパネル部材１ａ〜１ｃ間に空隙を有する場合、音波の集音形状２による反射割合が低下するが、当該間仕切りは、仮に複数のパネル部材１ａ〜１ｃの集音部の左右方向長さと空隙の左右方向の間隔とが同程度であったとしても音声利得の低下を３ｄＢ程度に抑えることができる。一方、集音形状２が前述の二次曲線回転面である場合、反射音が高域強調された音になりやすいが、隣接するパネル部材１ａ〜１ｃ間に空隙を有することで、高音域の音をこの空隙から効果的に逃がすことができ、高音域が強調された音質を改善することができる。
【００２６】
前記二次曲線回転面は回転楕円面であることが好ましい。前記二次曲線回転面が回転楕円面であることによって、２人の話者の想定される頭部近傍にこの二次曲線回転面の２つの焦点を調節することで、集音形状２と離れた話者の声を反射して集音形状２側に位置する話者の近傍に容易かつ確実に収束させることができる。
【００２７】
また、前記二次曲線回転面は回転放物面であってもよい。前記二次曲線回転面が回転放物面であることによって、例えば集音形状２に対向して複数の話者が左右方向に隣り合っている場合に、これら複数の話者の声を効率よく収束させることができる。
【００２８】
（支持機構）
支持機構３は、各対の側方パネル部材１ｂ，１ｃの上端の上側及び下端の下側に配設されるレール部材３ａと、各対の側方パネル部材１ｂ，１ｃの上端及び下端をレール部材３ａにスライド可能に係合する連結部材３ｂとを有する。また、支持機構３は、各対の側方パネル部材１ｂ，１ｃの上端の上側に配設されるレール部材３ａ及び各対の側方パネル部材１ｂ，１ｃの下端の下側に配設されるレール部材３ａを垂直方向及び水平方向に一定の間隔で保持するフレーム３ｃを有する。なお、図示していないが、支持機構３は、中央パネル部材１ａをレール部材３ａに対して所定の位置で保持するための保持部材をさらに有する。
【００２９】
レール部材３ａは、左右方向に延在している。レール部材３ａは、この延在方向に各対の側方パネル部材１ｂ，１ｃをスライド可能に構成されている。支持機構３は、複数のレール部材３ａを有する。各レール部材３ａは、対をなす側方パネル部材１ｂ，１ｃの左右方向内側端部又は左右方向外側端部と連結部材３ｂによって連結されている。そのため、各対の側方パネル部材１ｂ，１ｃに対してそれぞれ対応する一対のレール部材３ａが設けられており、本実施形態では２対のレール部材３ａが設けられている。
【００３０】
連結部材３ｂの具体的構成は、各対の側方パネル部材１ｂ，１ｃをレール部材３ａの延在方向にスライド可能に係合できる限り特に限定されない。本実施形態において、各対の側方パネル部材１ｂ，１ｃの上端とレール部材３ａとを連結する連結部材３ｂは、レール部材３ａにスライド可能に取り付けられるフック取り付け部と、各対の側方パネル部材３ｂ，３ｃの上端に取り付けられ、かつ前記フック取り付け部に係止されるフックとを有する。また、各対の側方パネル部材１ｂ，１ｃの下端とレール部材３ａとを連結する連結部材３ｂは、各対の側方パネル部材１ｂ，１ｃの下端に取り付けられ、かつレール部材３ａの上面にこのレール部材３ａの延在方向に移動可能に嵌合されるキャスターを有する。
【００３１】
支持機構３は、各対の側方パネル部材１ｂ，１ｃを左右方向中央側にスライド可能に構成されることが好ましい。当該間仕切りは、前述のように展開状態で左右方向中央に位置する中央パネル部材１ａと、展開状態で中央パネル部材１ａを基準として左右対称に配設される２対の側方パネル部材１ｂ，１ｃとを有している。前述のように、当該間仕切りは、一対の側方パネル部材１ｂの左右方向内側端部の後面が中央パネル部材１ａの左右方向外側端部の前面よりも前方に位置し、かつ他対の側方パネル部材１ｃの左右方向内側端部の後面が一対の側方パネル部材１ｂの左右方向外側端部の前面よりも前方に位置するように各パネル部材１ａ〜１ｃ間に空隙を設けることで、各対の側方パネル部材１ｂ，１ｃを左右方向中央側にスライドさせることができる。当該間仕切りは、支持機構３が各対の側方パネル部材１ｂ，１ｃを左右方向中央側にスライド可能に構成されることで、図４〜図６に示すように、これらの側方パネル部材１ｂ，１ｃを中央パネル部材１ａの前方に容易に重ねることができ、集約状態における左右方向長さを短くして集約状態での取扱性を向上することができる。
【００３２】
また、支持機構３は、図４〜図６に示すように、展開状態で中央パネル部材１ａの左側に位置する側方パネル部材１ｂ，１ｃを中央パネル部材１ａの前方左側に集約し、展開状態で中央パネル部材１ａの右側に位置する側方パネル部材１ｂ、１ｃを中央パネル部材１ａの前方右側に集約することが好ましい。この構成によると、集約状態における複数のパネル部材１ａ〜１ｃの概形を平面視矩形状としやすく、つまり集約状態において各パネル部材１ａ〜１ｃの左右方向外側端部を正面視で一致させやすく、集約状態における取扱性を高めることができる。
【００３３】
＜利点＞
当該間仕切りは、使用時に複数のパネル部材１ａ〜１ｃの前面が打合せブースに向くよう配設される。当該間仕切りは、複数のパネル部材１ａ〜１ｃが、支持機構３によって左右方向に展開及び前後方向に重なり合うように集約可能に支持されているので、例えば不使用時に複数のパネル部材１ａ〜１ｃを集約しておくことで、室内スペースの効率的な利用を図ることができる。また、当該間仕切りは、複数のパネル部材１ａ〜１ｃの集約状態での移動を容易にするための前述の移動機構を備える場合、不使用時には集約状態で別途設けられる保管スペース等に移動させ、使用時に使用場所に移動させたうえ複数のパネル部材１ａ〜１ｃを展開して用いることができる。また、当該間仕切りは、複数のパネル部材１ａ〜１ｃの展開状態で、これらのパネル部材１ａ〜１ｃの前面に前方から入射する音波を反射して収束させる集音形状２が形成されるので、当該間仕切りによって区分される打合せブース内で比較的小さい声で会話をした場合でも、互いの声を比較的容易に聞き取らせることができる。そのため、話者の声が自然と小さくなり、外部に声が漏れて会話内容が第三者に聞き取られることを抑制することができる。
【００３４】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００３５】
例えば当該間仕切りは、前記複数のパネル部材が、中央パネル部材、及び展開状態で前記中央パネル部材を基準として左右対称に配設される一対の側方パネル部材のみを有していてもよい。また、当該間仕切りは、必ずしも中央パネル部材を有する必要はなく、例えば左右方向に対称に配設される複数対の側方パネル部材のみを有していてもよい。
【００３６】
当該間仕切りは、複数のパネル部材を前後方向に重なり合うよう集約可能である限り、複数のパネル部材の具体的集約構造は限定されるものではない。
【００３７】
前記支持機構は、各対の側方パネル部材を左右方向に加え前後方向にも移動可能に構成されていてもよい。各対の側方パネル部材を左右方向及び前後方向に移動可能な構成としては、例えば図７に示すように、各側方パネル部材１１ｂ，１１ｃの左右方向内側端部又は左右方向外側端部にそれぞれ対応する複数のレール部材１３ａを有し、これらのレール部材１３ａがそれぞれ左右方向に延在する主部と、前後方向に延在する副部とを有する構成を採用することが可能である。このように、前記支持機構が各対の側方パネル部材を左右方向に加え前後方向にも移動可能に構成されることによって、例えば図８に示すように、各対の側方パネル部材１１ｂ，１１ｃを中央パネル部材１１ａの前面に当接又は近接するよう集約することができ、集約状態での取扱性をさらに高めることができる。また、各対の側方パネル部材を左右方向及び前後方向に移動可能な構成としては、例えば図９及び図１０に示すように、関節付きのフレーム２３ｃによってレール部材２３ａを前後方向に近接可能とする構成を採用することも可能である。
【００３８】
前述の実施形態では集音形状が１つの二次曲線回転面である構成について説明したが、前記集音形状としては、反射した音波を収束可能な形状である限り特に限定されるものではなく、例えば複数の二次曲線回転面の組み合わせ等であってもよい。
【００３９】
当該間仕切りは、展開状態で、隣接するパネル部材間に空隙を有しない構成を採用することも可能である。展開状態で隣接するパネル部材間に空隙を有しない構成としては、例えば各パネル部材の側面に左右方向へのスライドを規制しない弾性部材を配設する構成が挙げられる。
【産業上の利用可能性】
【００４０】
以上説明したように、本発明の間仕切りは、周囲の環境ノイズを大きくすることなく、会話内容が外部に伝わり難くすることができると共に、室内スペースの効率的利用を十分に図ることができるので、室内スペースを分割して打合せブースを形成するために特に好適に利用することができる。
【符号の説明】
【００４１】
１ａ，１１ａ  中央パネル部材
１ｂ，１ｃ，１１ｂ，１１ｃ  側方パネル部材
２  集音形状
３  支持機構
３ａ，１３ａ，２３ａ  レール部材
３ｂ  連結部材
３ｃ，２３ｃ  フレーム
【図１】
2018204290.tif 000003
【図２】
2018204290.tif 000004
【図３】
2018204290.tif 000005
【図４】
2018204290.tif 000006
【図５】
2018204290.tif 000007
【図６】
2018204290.tif 000008
【図７】
2018204290.tif 000009
【図８】
2018204290.tif 000010
【図９】
2018204290.tif 000011
【図１０】
2018204290.tif 000012